(57)【要約】【課題】アイウエアの装着者の眉間に当接する電極を用いて、装着者の眼電位を検出する技術が知られていたが、眼電位等の生体信号を検出する検出精度の低下を防止するべく、電極を確実に眉間に当接させることが望ましい。【解決手段】アイウエアであって、縄手式モダンを有するフレームと、フレームに設置され、アイウエアの装着者の眉間に当接する第１電極と、縄手式モダンに設置され、第１電極とともに装着者の生体信号を検出するために用いられる第２電極とを備えるアイウエアを提供する。【選択図】図１
2015202188.tif 000002
【特許請求の範囲】
【請求項１】
アイウエアであって、
縄手式モダンを有するフレームと、
前記フレームに設置され、前記アイウエアの装着者の眉間に当接する第１電極と、
前記縄手式モダンに設置され、前記第１電極とともに前記装着者の生体信号を検出するために用いられる第２電極と
を備える、アイウエア。
【請求項２】
前記第２電極は、前記縄手式モダンの先端に設置される、請求項１に記載のアイウエア。
【請求項３】
前記第２電極は、球形状又は楕円体形状を有する、請求項１又は２に記載のアイウエア。
【請求項４】
前記第２電極は、前記装着者の耳の裏側に当接し、
前記縄手式モダンは、前記第２電極を前記装着者の耳の裏側に押し付ける弾性力を有する、請求項１から３のいずれか一項に記載のアイウエア。
【請求項５】
前記縄手式モダンは、前記第１電極と前記第２電極とで前記装着者の頭部を挟み込む方向に、前記第２電極を押し付ける弾性力を有する、請求項４に記載のアイウエア。
【請求項６】
一対のノーズパッドと、
前記一対のノーズパッドの表面に設置された一対の第３電極と、
をさらに備える、請求項１から５のいずれか一項に記載のアイウエア。
【請求項７】
前記第１電極、前記第２電極及び前記一対の第３電極に電気的に接続され、前記装着者の眼電位を検出する眼電位検出部
をさらに備える、請求項６に記載のアイウエア。
【発明の詳細な説明】
【技術分野】
【０００１】
本発明は、アイウエアに関する。
【背景技術】
【０００２】
アイウエアの装着者の眉間に当接する電極を用いて、装着者の眼電位を検出する技術が知られていた（例えば、特許文献１参照）。
［先行技術文献］
［特許文献］
［特許文献１］特開２０１３−２４４３７０号公報
【発明の概要】
【発明が解決しようとする課題】
【０００３】
眼電位等の生体信号を検出する検出精度の低下を防止するべく、電極を確実に眉間に当接させることが望ましい。
【課題を解決するための手段】
【０００４】
本発明の第１の態様によれば、アイウエアであって、縄手式モダンを有するフレームと、フレームに設置され、アイウエアの装着者の眉間に当接する第１電極と、縄手式モダンに設置され、第１電極とともに装着者の生体信号を検出するために用いられる第２電極とを備えるアイウエアが提供される。
【０００５】
上記アイウエアにおいて、第２電極は、縄手式モダンの先端に設置されてよい。上記アイウエアにおいて、第２電極は、球形状又は楕円体形状を有してよい。上記アイウエアにおいて、第２電極は、装着者の耳の裏側に当接してよく、縄手式モダンは、第２電極を装着者の耳の裏側に押し付ける弾性力を有してよい。上記アイウエアにおいて、縄手式モダンは、第１電極と第２電極とで装着者の頭部を挟み込む方向に、第２電極を押し付ける弾性力を有してよい。
【０００６】
上記アイウエアは、一対のノーズパッドと、一対のノーズパッドの表面に設置された一対の第３電極とをさらに備えてよい。上記アイウエアは、第１電極、第２電極及び一対の第３電極に電気的に接続され、装着者の眼電位を検出する眼電位検出部をさらに備えてよい。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】メガネの一例を概略的に示す。
【図２】メガネの一例を概略的に示す。
【図３】装着者がメガネを装着している状態を概略的に示す。
【図４】装着前及び装着後のメガネを概略的に示す。
【図５】眉間電極ユニットの一例を概略的に示す。
【図６】眉間電極ユニットの他の一例を概略的に示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１及び図２は、メガネ１００の一例を概略的に示す。図１は、メガネ１００の斜視図である。図２は、メガネ１００を背面側からみた部分拡大図である。メガネ１００は、アイウエアの一例であってよい。
【００１１】
本実施形態に係るメガネ１００は、フレーム１１０、左レンズ１２４及び右レンズ１２６を備える。フレーム１１０は、フロント１２０、左テンプル１３０及び右テンプル１４０を有する。
【００１２】
フロント１２０は、左レンズ１２４及び右レンズ１２６を保持するリム１２２と、左ノーズパッド１５２、右ノーズパッド１５４及び眉間電極ユニット１５６を有する。
【００１３】
左ノーズパッド１５２は、フロント１２０に設置された支持部材１５１によって支持される。支持部材１５１は、一端がフロント１２０に設置され、他端が左ノーズパッド１５２を支持する線状の部材であってよい。左ノーズパッド１５２の表面には、左電極１６２が設置される。左電極１６２は、メガネ１００を装着する装着者１０がメガネ１００を装着したときに、装着者１０の鼻に当接する。
【００１４】
右ノーズパッド１５４は、フロント１２０に設置された支持部材１５３によって支持される。支持部材１５３は、一端がフロント１２０に設置され、他端が右ノーズパッド１５４を支持する線状の部材であってよい。右ノーズパッド１５４の表面には、右電極１６４が設置される。右電極１６４は、装着者１０がメガネ１００を装着したときに、装着者１０の鼻に当接する。
【００１５】
眉間電極ユニット１５６は、装着者１０がメガネ１００を装着したときに、装着者１０の眉間の正面に位置するべく、配置されてよい。眉間電極ユニット１５６の表面には、眉間電極１６６が設置される。眉間電極１６６は、装着者１０がメガネ１００を装着したときに、装着者１０の眉間に当接する。眉間電極ユニット１５６は、眉間電極１６６を装着者１０の眉間に当接させることができれば、フレーム１１０のいずれの位置に配置されてもよい。眉間電極ユニット１５６は、例えば、フレーム１１０のブリッジに設置される。眉間電極１６６は、第１電極の一例であってよい。
【００１６】
左テンプル１３０は、縄手式モダン１３２を有する。縄手式モダン１３２は、縄手ワイヤ１３４を有するモダンであってよい。縄手ワイヤ１３４は、装着者１０がメガネ１００を装着したときに、装着者１０の耳の裏側に位置すれば、左テンプル１３０のいずれの位置に配置されてもよい。
【００１７】
左テンプル１３０は、縄手ワイヤ１３４の先端に設置された接地電極１３６と、回路基板１３８とを有してよい。接地電極１３６は、回路基板１３８に電気的に接続される。接地電極１３６は、縄手ワイヤ１３４を介して回路基板１３８に電気的に接続される。接地電極１３６は、装着者１０がメガネ１００を装着したときに、装着者１０の耳の裏側に当接する。接地電極１３６は、第２電極の一例であってよい。
【００１８】
右テンプル１４０は、縄手式モダン１４２を有する。縄手式モダン１４２は、縄手ワイヤ１４４を有するモダンであってよい。縄手ワイヤ１４４は、装着者１０がメガネ１００を装着したときに、装着者１０の耳の裏側に位置すれば、右テンプル１４０のいずれの位置に配置されてもよい。
【００１９】
右テンプル１４０は、縄手ワイヤ１４４の先端に設置された参照電極１４６と、バッテリ１４８とを有してよい。参照電極１４６は、回路基板１３８に電気的に接続される。参照電極１４６は、縄手ワイヤ１４４、右テンプル１４０、フロント１２０及び左テンプル１３０を介して回路基板１３８に電気的に接続される。参照電極１４６と回路基板１３８とを電気的に接続する配線は、例えば、フレーム１１０に埋設される。参照電極１４６は、第２電極の一例であってよい。
【００２０】
バッテリ１４８は、右テンプル１４０、フロント１２０及び左テンプル１３０を介して回路基板１３８に電気的に接続される。バッテリ１４８と回路基板１３８とを電気的に接続する配線は、例えば、フレーム１１０に埋設される。バッテリ１４８は、回路基板１３８に電力を供給する。
【００２１】
左電極１６２は、左ノーズパッド１５２、支持部材１５１、フロント１２０及び左テンプル１３０を介して回路基板１３８と電気的に接続される。左電極１６２と回路基板１３８とを電気的に接続する配線は、例えば、左ノーズパッド１５２、支持部材１５１、フロント１２０及び左テンプル１３０に埋設される。
【００２２】
右電極１６４は、右ノーズパッド１５４、支持部材１５３、フロント１２０及び左テンプル１３０を介して回路基板１３８と電気的に接続される。右電極１６４と回路基板１３８とを電気的に接続する配線は、例えば、右ノーズパッド１５４、支持部材１５３、フロント１２０及び左テンプル１３０に埋設される。左電極１６２及び右電極１６４は、一対の第３電極の一例であってよい。
【００２３】
眉間電極１６６は、眉間電極ユニット１５６、フロント１２０及び左テンプル１３０を介して回路基板１３８と電気的に接続される。眉間電極１６６は、眉間電極ユニット１５６と電気的に接続されてよい。眉間電極ユニット１５６と回路基板１３８とを電気的に接続する配線は、フロント１２０及び左テンプル１３０に埋設されてよい。
【００２４】
本実施形態に係る回路基板１３８は、左電極１６２、右電極１６４、眉間電極１６６、接地電極１３６及び参照電極１４６を用いて眼電位を検出してよい。回路基板１３８は、眼電位検出部の一例であってよい。回路基板１３８は、検出した眼電位を処理してよい。回路基板１３８は、バッテリ１４８から供給される電力を用いて眼電位を処理してよい。
【００２５】
眼電位を処理するとは、眼電位を演算処理することであってよい。例えば、回路基板１３８は、眉間電極１６６を基準とした左電極１６２の眼電位と、眉間電極１６６を基準とした右電極１６４の眼電位とを加減処理する。また、眼電位を処理するとは、眼電位に対して信号増幅処理をすることであってよい。また、眼電位を処理するとは、眼電位信号をデジタル化処理することであってよい。
【００２６】
また、眼電位を処理するとは、眼電位を送信することであってよい。例えば、回路基板１３８は、眼電位を情報端末３００に送信する。回路基板１３８は、無線通信によって、眼電位を情報端末３００に送信してよい。例えば、回路基板１３８は、Ｂｌｕｅｔｏｏｔｈ（登録商標）及びＷｉ−Ｆｉ（登録商標）等の無線ＬＡＮ等を用いて、眼電位を情報端末３００に送信する。情報端末３００は、スマートフォン等の携帯電話、タブレット端末及びＰＣ（Ｐｅｒｓｏｎａｌ  Ｃｏｍｐｕｔｅｒ）等であってよい。
【００２７】
また、眼電位を処理するとは、眼電位に従って、メガネ１００の装着者の視線を検出すること、瞬きを検出すること及び眠気を検出すること等であってよい。回路基板１３８は、視線の検出結果、瞬きの検出結果及び眠気の検出結果等を情報端末３００に送信してよい。
【００２８】
図３は、装着者１０がメガネ１００を装着している状態を概略的に示す。図３に示す通り、眉間電極１６６は、装着者１０の眉間１２に当接する。また、左電極１６２は、装着者１０の鼻１４に当接する。同様に、右電極１６４も装着者１０の鼻１４に当接する。また、接地電極１３６は、装着者１０の左の耳１６の裏側に当接する。同様に、参照電極１４６は、装着者１０の右の耳１６の裏側に当接する。
【００２９】
接地電極１３６、参照電極１４６、左電極１６２、右電極１６４及び眉間電極１６６は、装着者１０がメガネ１００を装着している間、装着者１０の生体信号を継続的に検出するべく、常に確実に装着者１０に当接していることが望ましい。そこで、本実施形態に係るメガネ１００は、縄手式モダン１３２及び縄手式モダン１４２を有することにより、接地電極１３６、参照電極１４６、左電極１６２、右電極１６４及び眉間電極１６６の当接を維持する。
【００３０】
図４は、装着前及び装着後のメガネ１００を概略的に示す。図に示す通り、縄手ワイヤ１３４は、弓形状を有してよい。縄手ワイヤ１３４は、装着者１０に装着されたときに、装着者１０の耳１６の裏側に接地電極１３６を押し付ける弾性力を有する。
【００３１】
これにより、接地電極１３６が、装着者１０から離間してしまうことを防止できる。また、さらに、縄手ワイヤ１３４が耳１６の裏側に接地電極１３６を押し付ける弾性力を有することによって、眉間電極１６６を眉間１２に向けて引き寄せることができる。すなわち、縄手ワイヤ１３４の弾性力によって、眉間電極１６６と接地電極１３６とで、装着者１０の頭部を挟み込むことができる。これにより、接地電極１３６が耳１６の裏側から離間してしまうことを防止しつつ、眉間電極１６６が、眉間１２から離間してしまうことを防止できる。
【００３２】
接地電極１３６は、球形状を有してよい。これにより、接地電極１３６が、耳１６の裏側に押し付けられることにより、耳１６が損傷してしまうことを防止できる。なお、接地電極１３６は、耳１６の裏に押し付けられた時に、耳１６が損傷してしまうことを防止できる形状であれば、他の形状であってもよい。例えば、接地電極１３６は、楕円体形状を有する。接地電極１３６は、少なくとも耳１６の裏側と接する面が滑らかな形状を有してよい。
【００３３】
図４では、縄手ワイヤ１３４及び接地電極１３６と、縄手ワイヤ１４４及び参照電極１４６とのうち、縄手ワイヤ１３４及び接地電極１３６について説明したが、縄手ワイヤ１４４及び参照電極１４６についても同様である。
【００３４】
図５は、眉間電極ユニット１５６の一例を概略的に示す。眉間電極ユニット１５６は、弾性部材１５７及び配線１５８を有してよい。弾性部材１５７は、フレーム１１０に設置され、眉間電極１６６を保持する。配線１５８は、フレーム１１０に埋設された配線１５０と、眉間電極１６６とを電気的に接続する。配線１５０は、配線１５８と、回路基板１３８とを電気的に接続する。
【００３５】
弾性部材１５７が眉間電極１６６を保持することにより、縄手ワイヤ１３４及び縄手ワイヤ１４４によって装着者１０側に引き寄せられる眉間電極１６６が、眉間１２に対して与える圧力を吸収できる。これにより、眉間電極１６６が眉間１２から離間してしまうことを防止しつつ、眉間１２に過度の圧力がかかってしまうことを防止できる。
【００３６】
弾性部材１５７は、弾性を有する部材であれば、どのような部材であってもよい。例えば、弾性部材１５７は、エラストマ樹脂である。
【００３７】
図６は、眉間電極ユニット１５６の他の一例を概略的に示す。眉間電極ユニット１５６は、弾性を有する導電性部材１５９と、配線接合部１６０とを有してよい。導電性部材１５９及び配線接合部１６０はフレーム１１０に設置される。導電性部材１５９は、眉間電極１６６を保持する。配線接合部１６０は、導電性部材１５９と配線１５０とを電気的に接続する。配線１５０は、配線接合部１６０と、回路基板１３８とを電気的に接続する。
【００３８】
導電性部材１５９が眉間電極１６６を保持することにより、縄手ワイヤ１３４及び縄手ワイヤ１４４によって装着者１０側に引き寄せられる眉間電極１６６が、眉間１２に対して与える圧力を吸収できる。これにより、眉間電極１６６が眉間１２から離間してしまうことを防止しつつ、眉間１２に過度の圧力がかかってしまうことを防止できる。
【００３９】
導電性部材１５９は、弾性及び導電性を有する部材であれば、どのような部材であってもよい。例えば、導電性部材１５９は、導電性スポンジである。また、導電性部材１５９は、導電性ゴムであってよい。また、導電性部材１５９は、弾性を有する導電性樹脂であってよい。
【００４０】
本実施形態では、接地電極１３６が縄手ワイヤ１３４の先端に設置され、参照電極１４６が縄手ワイヤ１４４の先端に設置される例を挙げて説明したが、これに限らない。接地電極１３６は、縄手ワイヤ１３４の先端以外の箇所に設置されてもよい。また、参照電極１４６は、縄手ワイヤ１４４の先端以外の箇所に設置されてもよい。
【００４１】
また、本実施形態では、左テンプル１３０が接地電極１３６を有し、右テンプル１４０が参照電極１４６を有する場合を例に挙げて説明したが、左テンプル１３０が参照電極１４６を有し、右テンプル１４０が接地電極１３６を有してもよい。また、本実施形態では、左テンプル１３０が回路基板１３８を有し、右テンプル１４０がバッテリ１４８を有する場合を例に挙げて説明したが、左テンプル１３０がバッテリ１４８を有し、右テンプル１４０が回路基板１３８を有してもよい。
【００４２】
また、本実施形態では、眼電位を検出するメガネ１００をアイウエアの一例として説明したが、これに限らない。アイウエアは、電極を使用するメガネであれば、どのようなメガネであってもよい。例えば、アイウエアは、脳波を処理するメガネ、画像を処理するメガネ、及び音声を処理するメガネ等である。
【００４３】
また、本実施形態では、アイウエアの例としてメガネ１００を挙げて説明したが、これに限らない。アイウエアは、サングラス及びヘッドマウントディスプレイ等であってもよい。
【００４４】
図１から図３に示したメガネ１００の各部の形状は例示であり、図示した形状に限らない。
【００４５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４６】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００４７】
１０  装着者、１２  眉間、１４  鼻、１６  耳、１００  メガネ、１１０  フレーム、１２０  フロント、１２２  リム、１２４  左レンズ、１２６  右レンズ、１３０  左テンプル、１３２  縄手式モダン、１３４  縄手ワイヤ、１３６  接地電極、１３８  回路基板、１４０  右テンプル、１４２  縄手式モダン、１４４  縄手ワイヤ、１４６  参照電極、１４８  バッテリ、１５０  配線、１５１  支持部材、１５２  左ノーズパッド、１５３  支持部材、１５４  右ノーズパッド、１５６  眉間電極ユニット、１５７  弾性部材、１５８  配線、１５９  導電性部材、１６０  配線接合部、１６２  左電極、１６４  右電極、１６６  眉間電極、３００  情報端末
【図１】
2015202188.tif 000003
【図２】
2015202188.tif 000004
【図３】
2015202188.tif 000005
【図４】
2015202188.tif 000006
【図５】
2015202188.tif 000007
【図６】
2015202188.tif 000008